(57)【要約】【課題】冷蔵庫の貯蔵室内における視認性を向上させることを課題とする。【解決手段】貯蔵室１０の左右側面及び／又は天井面に、第１の照明装置１１ａ，…，１３ｂを少なくとも１個実装したランプ組立体１１ｐ，１２ｐ，１３ｐが設置される第１の傾斜部１１ｓ，１２ｓ，１３ｓ，がそれぞれ形成され、前記第１の傾斜部は、前記第１の照明装置からの直接の照射光が前記貯蔵室１０内に照射されるように形成されていることを特徴とする。【選択図】図３
2012220134.tif 000002
【特許請求の範囲】
【請求項１】
貯蔵室の左右側面及び／又は天井面に、第１の照明装置を少なくとも１個実装したランプ組立体が設置される第１の傾斜部がそれぞれ形成され、
前記第１の傾斜部は、前記第１の照明装置からの直接の照射光が前記貯蔵室内に照射されるように形成されていること
を特徴とする冷蔵庫。
【請求項２】
前記第１の傾斜部は、前記第１の照明装置からの前記直接の照射光が、前記貯蔵室の扉を開いた場合の開口端よりも、前記貯蔵室の奥側に照射されるように形成されていること
を特徴とする請求項１に記載の冷蔵庫。
【請求項３】
前記直接の照射光は、前記第１の照明装置の照射方向に対して垂直な平面のうち、前記照射方向に対応する箇所で測定される照度に対して、当該照度の略１／２以上の照度が測定される範囲での照射光であること
を特徴とする請求項１又は請求項２に記載の冷蔵庫。
【請求項４】
前記第１の傾斜部は、前記貯蔵室に設置された複数の収納棚の先端よりも、前記貯蔵室の扉を開いた場合の開口面側に形成されること
を特徴とする請求項１から請求項３のいずれか一項に記載の冷蔵庫。
【請求項５】
前記第１の照明装置は、発光ダイオードであること
を特徴とする請求項１から請求項４のいずれか一項に記載の照明装置。
【請求項６】
前記貯蔵室の左右側面及び／又は奥側の面に、第２の照明装置を前記収納棚に対応して少なくとも１個実装したランプ組立体が設置される第２の傾斜部がそれぞれ形成され、
前記第２の照明装置は、その照射方向が、前記貯蔵室の前記開口面側であり、当該第２の照明装置からの直接の照射光のうち少なくとも一部が、前記収納棚の側面に照射されるにように設置されていること
を特徴とする請求項１から請求項５のいずれか一項に記載の冷蔵庫。
【請求項７】
各々の前記収納棚のうち、一つ又は複数の収納棚に対応して、前記第１の照明装置が前記収納棚の下面より所定距離だけ下方に設置され、残りの収納棚に対応して前記第２の照明装置が設置されること
を特徴とする請求項６に記載の冷蔵庫。
【請求項８】
前記第２の照明装置は、発光ダイオードであること
を特徴とする請求項６又は請求項７に記載の照明装置。
【請求項９】
前記第１の傾斜部は、前記貯蔵室の左右側面及び／又は天井面に形成された凸部又は凹部の傾斜面であること
を特徴とする請求項１から請求項８のいずれか一項に記載の冷蔵庫。
【請求項１０】
前記第２の傾斜部は、前記貯蔵室の左右側面及び／又は奥側の面に形成された凸部又は凹部の傾斜面であること
を特徴とする請求項６から請求項９のいずれか一項に記載の冷蔵庫。
【発明の詳細な説明】
【技術分野】
【０００１】
本発明は、照明装置を備えた冷蔵庫に関する。
【背景技術】
【０００２】
近年、冷蔵庫の貯蔵室内に設置される照明装置として、発光ダイオード（ＬＥＤ：Light Emitting Diode）が多く用いられている。発光ダイオードは、低い消費電力で大きな光エネルギーを得ることができ、かつ、寿命が白熱電球よりかなり長いという特長を有する。また、発光ダイオードは、赤外波長が出ない、構造が簡単であるため大量生産に適している、という特長も有している。
【０００３】
しかし、発光ダイオードは白熱電球と比べて指向性が高く、発光面積が小さいため、一個あたりの発光ダイオードによる照射範囲は狭い。したがって、冷蔵庫の貯蔵室内を均一に照射することができないという問題があった。ここで、特許文献１には、冷蔵庫の貯蔵室内に照明用の発光ダイオードを設置した場合に、貯蔵室内を均一に照射させる技術が開示されている。
すなわち、特許文献１には、照明装置である発光ダイオードを貯蔵室の壁面に配置し、発光ダイオードと対向するランプカバーの面に凸形状を形成した冷蔵庫について記載されている。特許文献１に記載の冷蔵庫では、発光ダイオードから照射された光が、凸形状に形成されたランプカバーで拡散されることによって、貯蔵室内を均一に照射することができる。
【先行技術文献】
【特許文献】
【０００４】
【特許文献１】特開２００８−８９２７７号公報
【発明の概要】
【発明が解決しようとする課題】
【０００５】
しかし、特許文献１に記載の冷蔵庫では、発光ダイオードが貯蔵室の側面に設置されているため、ランプカバーを介して発光ダイオードから照射された光は、貯蔵室内を照射するのみでなく、貯蔵室の外にも漏れることになる。したがって、冷蔵庫の扉を開いた場合に、発光ダイオードから直接的に照射される光がユーザに視認されるため、ユーザが眩しく感じるという問題があった。
また、特許文献１に記載の冷蔵庫では、発光ダイオードが貯蔵室の開口側の側面のみに設けられている。したがって、貯蔵室の手前側の収納物は見えやすいものの、貯蔵室の奥側の収納物は、手前側の収納物の影によって見えにくくなるという問題があった。
【０００６】
そこで、本発明は、冷蔵庫の貯蔵室内における視認性を向上させることを課題とする。
【課題を解決するための手段】
【０００７】
前記課題を解決するために、本発明は、貯蔵室の左右側面及び／又は天井面に、第１の照明装置を少なくとも１個実装したランプ組立体が設置される第１の傾斜部がそれぞれ形成され、前記第１の傾斜部は、前記第１の照明装置からの直接の照射光が前記貯蔵室内に照射されるように形成されていることを特徴とする。
【発明の効果】
【０００８】
本発明により、冷蔵庫の貯蔵室内における視認性を向上させることができる。
【図面の簡単な説明】
【０００９】
【図１】本発明の第１実施形態に係る冷蔵庫の外観斜視図である。
【図２】図１に記載の冷蔵庫を、ＸＸを含む平面で切断して右側から見た場合の断面の概略図である。
【図３】冷蔵室の扉を開けた状態の正面図である。
【図４】冷蔵室に形成される傾斜面と、当該傾斜面に設置されるランプ組立体の外観斜視図である。
【図５】図３に記載の冷蔵室を、ＹＹを含む水平面で切断し、上側から見た場合の断面図である。
【図６】図３に記載の冷蔵室を、ＺＺを含む平面で切断し、右側から見た場合の断面図である。
【図７】傾斜面を凹部によって形成した場合に、図３に記載のＹＹを含む水平面で切断して上側から見た場合の断面図である。
【図８】本発明の第２実施形態に係る冷蔵庫において、冷蔵室の扉を開けた場合の正面図である。
【図９】図８に記載の冷蔵室を、Ｙ´Ｙ´を含む水平面で切断し、上側から見た場合の断面図である。
【図１０】本発明の４つの実施例と、特許文献１に記載の冷蔵庫と、キセノンランプを用いた冷蔵庫における、「明るさ」に対する主観評価結果である。
【図１１】本発明の４つの実施例と、特許文献１に記載の冷蔵庫と、キセノンランプを用いた冷蔵庫における、「眩しさ」に対する主観評価結果である。
【図１２】本発明の４つの実施例と、特許文献１に記載の冷蔵庫と、キセノンランプを用いた冷蔵庫における、「照らされ方の均一性」に対する主観評価結果である。
【図１３】本発明の４つの実施例と、特許文献１に記載の冷蔵庫と、キセノンランプを用いた冷蔵庫における、「見やすさ」に対する主観評価結果である。
【図１４】本発明の４つの実施例と、特許文献１に記載の冷蔵庫と、キセノンランプを用いた冷蔵庫における、「印象」に対する主観評価結果である。
【図１５】本発明の４つの実施例と、特許文献１に記載の冷蔵庫と、キセノンランプを用いた冷蔵庫における、「清潔感」に対する主観評価結果である。
【図１６】本発明の第３実施形態に係る冷蔵庫の扉を開けた状態の正面図である。
【図１７】冷蔵庫の天井に設置した発光ダイオードの位置関係を示す図である。
【図１８】本発明の第３実施形態に係る冷蔵庫と、特許文献１に記載の冷蔵庫と、キセノンランプを用いた冷蔵庫における、「明るさ」に対する主観評価結果である。
【図１９】本発明の第３実施形態に係る冷蔵庫と、特許文献１に記載の冷蔵庫と、キセノンランプを用いた冷蔵庫における、「眩しさ」に対する主観評価結果である。
【図２０】本発明の第３実施形態に係る冷蔵庫と、特許文献１に記載の冷蔵庫と、キセノンランプを用いた冷蔵庫における、「見やすさ」に対する主観評価結果である。
【発明を実施するための形態】
【００１０】
本発明の各実施形態について、適宜図面を参照しながら詳細に説明する。なお、各図において、共通する部分には同一の符号を付し、重複した説明を省略する。
【００１１】
≪第１実施形態≫
図１は、本発明の第１実施形態に係る冷蔵庫の外観斜視図である。図１に示すように、冷蔵庫１００は、冷蔵室１０、上段冷凍室２０、製氷室３０、下段冷凍室４０、野菜室５０等の複数の貯蔵室で構成される。
冷蔵室１０は、ヒンジ式の扉１０ａ又は扉１０ｂを手前側に引くことによって外部空間との間で解放し、開いた状態から扉１０ａ又は扉１０ｂを押して元の状態（図１の状態）に戻すことによって、外部空間から遮蔽することができる。
また、上段冷凍室２０、製氷室３０、下段冷凍室４０、野菜室５０は、引き出し式の扉２０ａ，３０ａ，４０ａ，５０ａを有する。上記各扉を手前側に引き出すことによって、外部空間との間で解放する。また、開いた状態から上記各扉を押して元の状態（図１の状態）に戻すことによって、外部空間から遮蔽することができる。
【００１２】
なお、以下の記載では、図１に示す冷蔵庫について説明するが、これに限定されるものではない。
また、以下の説明において、冷蔵室１０、上段冷凍室２０、製氷室３０、下段冷凍室４０、野菜室５０等を総称して、貯蔵室ということがあるものとする。
また、以下の説明において、図１に記載の冷蔵庫１００の設置方向に基づいて、扉（１０ａ，１０ｂ等）を有する側を手前側とし、その反対側を奥側とする。また、冷蔵庫１００の天井側を上側とし、その反対側を下側とする。また、冷蔵庫１００の正面と対向して冷蔵庫１００を見た場合を基準として、右側及び左側を定義する。
なお、冷蔵室１０等の貯蔵室内の各面について説明する場合には、その天井に相当する面を天井面とする。
【００１３】
図２は、図１に記載の冷蔵庫を、ＸＸを含む平面で切断して右側から見た場合の断面の概略図である。冷蔵庫１００は、圧縮機６０、凝縮器（図示せず）、減圧装置（図示せず）、冷却器６１等からなる周知の冷凍サイクルにより冷却される。その他、冷蔵庫１００は、冷却された空気を送風するための冷却ファン６２、予め設定された庫内温度に合わせて風量を調節するダンパ（図示せず）、熱を効率的に利用するための真空断熱材６３、真空断熱材６３と接着可能な発泡断熱材６４、冷蔵庫１００全体の運転状態を制御する制御装置（図示せず）等を備える。
なお、上記の各機器や冷凍サイクルについては、その説明を省略する。
【００１４】
本実施形態に係る冷蔵庫１００が備える複数の照明装置（発光ダイオード）は、主として冷蔵室１０において使用される。したがって、以下では、冷蔵室１０を照明装置の設置対象として説明する。
冷蔵室１０には、その収納性を高めるために、複数の収納棚１４ａ，１４ｂ，１４ｃ，１４ｄが設置されている。収納棚１４ａ，１４ｂ，１４ｃ，１４ｄは、冷蔵室１０の清掃等を容易にするために、取り外しができるものとしてもよい。また、最下段の収納棚１４ａの下部には、魚肉類や野菜類等を保存するためのチルド室１５が設けられている。食品の鮮度を保つために、収納する食品に応じてチルド室１５の温度を適宜変更することができるよう、制御装置（図示せず）が設定されている。
なお、チルド室１５は引き出し式であり、手前に引き出すことで外部空間との間で解放することができる。また、押し戻して元の状態（図２の状態）に戻すことにより、外部空間から遮蔽することができる。
【００１５】
冷蔵室１０の左側面には、縦方向（上下方向）に連続した一条の凸部１２が形成されている。同様に、冷蔵室１０の右側面には、縦方向（上下方向）に連続した一条の凸部１１（図３参照）が形成されている。さらに、冷蔵室１０の天井面には、横方向（左右方向）に連続した一条の凸部１３（図３参照）が形成されている。
各凸部１１，１２，１３には、複数の発光ダイオードが適宜間隔で設置されている。例えば、図２に示すように、左側面の凸部１２には、４個の発光ダイオード１２ａ，１２ｂ，１２ｃ，１２ｄが略等間隔で設置されている。
なお、各図において、発光ダイオードは実際の寸法よりも大きめに記載されている。
【００１６】
図３は、冷蔵室の扉を開けた状態の正面図である。図３では、開いた状態の扉１０ａ及び扉１０ｂについては、その記載を省略している。また、以下の記載において、単に発光ダイオードと記載する場合には、冷蔵室１０に設置された各々の発光ダイオードを指すものとする。
図３に示すように、冷蔵室１０の左側面には、上記のとおり、縦方向（上下方向）に連続した一条の凸部１２が形成されている。ここで、本実施形態では、凸部１２を正三角柱状に形成している。また、凸部１２のうち冷蔵室１０の内側に最も張り出した部分の稜線Ｌが、冷蔵庫１００の上下面に対して垂直となるように、冷蔵室１０の左側面を形成している。凸部１２は、冷蔵庫１００の製造段階において冷蔵室１０の左側面を形成する際に、冷蔵室１０の左側面のうち凸部１２以外の部分と一体のものとして形成される。
なお、冷蔵庫１００の製造段階において冷蔵室１０の左側面を形成する場合に、冷蔵室１０の左側面を平面状に形成し、さらにその上から三角柱状の凸部１２を設置するものとしてもよい。
【００１７】
凸部１２は、冷蔵室１０に設置された複数の収納棚１４ａ，１４ｂ，１４ｃ，１４ｄの先端よりも手前側（冷蔵室１０の扉１０ａ及び１０ｂを開いた場合の開口面側）に形成される。つまり、収納棚１４ａ，１４ｂ，１４ｃ，１４ｄの側面のうち、冷蔵室１０の扉１０ａ及び扉１０ｂを開いた場合の開口面に最も近い側面（側面ａ，側面ｂ，側面ｃ，側面ｄ）よりも、凸部１２が手前側に位置するように形成される。
また、凸部１２には、照明装置である４つの発光ダイオード１２ａ，１２ｂ，１２ｃ，１２ｄがプリント基板に実装されたランプ組立体１２ｐ（図４参照）が設置されている。
なお、防水及び結露対策のため、ランプ組立体１２ｐは、図４に示すように凸部１２に内蔵されている。ランプ組立体１２ｐは、凸部１２の２つの傾斜面（手前側の傾斜面と奥側の傾斜面）のうち、奥側の傾斜面１２ｓ（図４、図５参照）に設置される。ランプ組立体１２ｐを凸部１２の奥側の傾斜面１２ｓに設置することによって、各発光ダイオードからの直接の照射光が冷蔵室１０内に照射される。
なお、図３では各発光ダイオードを破線で示しているように、ユーザが冷蔵室１０の扉１０ａ又は扉１０ｂを開いた場合、各発光ダイオードはユーザに視認されない。
【００１８】
上記においては、冷蔵室１０の左側に形成された凸部１２、及び、発光ダイオード１２ａ，１２ｂ，１２ｃ，１２ｄがプリント基板に実装されたランプ組立体１２ｐ（図４参照）について説明したが、冷蔵室１０の右側に設置された凸部１１、及び、発光ダイオード１１ａ，１１ｂ，１１ｃ，１１ｄがプリント基板に実装されたランプ組立体１１ｐ（図示せず）についても同様である。
また、発光ダイオードの保護等を目的として、各凸部１１，１２，１３を覆うようにして、ランプカバー（図示せず）が設置されるが、図３及びその他の図面では、ランプカバーの記載を省略している。
【００１９】
図３に示すように、冷蔵室１０の天井面には、横方向（左右方向）に連続した正三角柱状の凸部１３が一条形成されている。また、凸部１３のうち冷蔵室１０の内側に最も張り出した部分の稜線Ｍが、冷蔵庫１００の左右面に対して垂直となるように、冷蔵室１０の天井面に凸部１３が形成されている。
凸部１３は、冷蔵室１０に設置された複数の収納棚１４ａ，１４ｂ，１４ｃ，１４ｄの先端よりも手前側（冷蔵室１０の扉１０ａ及び１０ｂを開いた場合の開口面側）に設置される。つまり、収納棚１４ａ，１４ｂ，１４ｃ，１４ｄの側面のうち、冷蔵室１０の扉１０ａ及び扉１０ｂを開いた場合の開口面に最も近い側面（側面ａ，側面ｂ，側面ｃ，側面ｄ）よりも、凸部１３が手前側に位置するように形成される。
凸部１３には、照明装置である２つの発光ダイオード１３ａ，１３ｂがプリント基板に実装されたランプ組立体１３ｐ（図示せず）が設置されている。ランプ組立体１３ｐは、凸部１３の２つの傾斜面（手前側の傾斜面と奥側の傾斜面）のうち、奥側の傾斜面１３ｓ（図６参照）に設置される。ランプ組立体１３ｐを凸部１３の奥側の傾斜面１３ｓに設置することによって、発光ダイオード１３ａ，１３ｂからの直接の照射光が冷蔵室１０内に照射される。
【００２０】
図４は、冷蔵室に形成される傾斜面と、当該傾斜面に設置されるランプ組立体の外観斜視図である。図４に示すように、プリント基板に発光ダイオード１２ａ，１２ｂ，１２ｃ，１２ｄが実装されたランプ組立体１２ｐが、凸部１２上に設置されている。冷蔵室１０の扉１０ａ及び扉１０ｂが閉まっている場合には、各発光ダイオードへの通電が行われないため、冷蔵室１０内は照射されない。一方、冷蔵室の扉１０ａ又は扉１０ｂが開けられると、ランプ組立体１２ｐのプリント基板を介して各発光ダイオードに順方向電流が流れて、各発光ダイオードが発光する。
なお、上記の制御は、冷蔵庫１００の図示しない制御装置によってなされる。また、上記では、凸部１２に設置されたランプ組立体１２ｐに設置される発光ダイオード１２ａ，１２ｂ，１２ｃ，１２ｄについて説明したが、他の凸部１１，１３についても同様に、複数の発光ダイオードを実装したランプ組立体１１ｐ，１３ｐ（図示せず）が設置されている。
【００２１】
発光ダイオードから照射される光は、指向性を有する。本実施形態では、発光ダイオードの照射光の照射角度（立体角）は概ね１２０°とするが、これに限定されない。ちなみに、発光ダイオードからの照射光の照射角度は、発光ダイオードの種類によってさまざまである。
なお、上記で説明した発光ダイオードからの「照射光」の照射角度は、発光ダイオードから照射される光において、発光ダイオードの照射方向に対して垂直な平面のうち、その照射方向に対応する箇所で測定される照度に対して、当該照度の略１／２以上の照度が測定される範囲として定義する。
【００２２】
図３に示すように、冷蔵室１０には４つの収納棚１４ａ，１４ｂ，１４ｃ，１４ｄが設置されており、各収納棚上に、食品等の収納物が収納される。ここで、収納棚１４ａと収納棚１４ｂとの間の空間を領域Ａとし、収納棚１４ｂと収納棚１４ｃとの間の空間を領域Ｂとし、収納棚１４ｃと収納棚１４ｄの間の空間を領域Ｃとし、収納棚１４ｄと天井との間の空間を領域Ｄとする。
上記のように、各収納棚１４ａ，１４ｂ，１４ｃ，１４ｄの先端よりも、手前側に位置するように各凸部１１，１２，１３が形成され、プリント基板に少なくとも１個の発光ダイオードが実装されたランプ組立体１１ｐ（図示せず），１２ｐ（図４参照），１３ｐ（図示せず）が各傾斜面１１ｓ，１２ｓ，１３ｓに設置される（図５、図６参照）。
【００２３】
図３に示すように、冷蔵室１０の左右側面の各発光ダイオードは、領域Ａ，Ｂ，Ｃ，Ｄに対応して配置される。すなわち、発光ダイオード１１ａ，１２ａは、主として領域Ａを照射し、発光ダイオード１１ｂ，１２ｂは、主として領域Ｂを照射し、発光ダイオード１１ｃ，１２ｃは、主として領域Ｃを照射し、発光ダイオード１１ｄ，１２ｄは、主として領域Ｄを照射する。
ちなみに、例えば、発光ダイオード１１ａ，１２ａから照射される光は、領域Ａに収納された収納物、収納棚１４ａの上面、収納棚１４ｂの下面、及び冷蔵室１０の側面等で反射するほか、一部は収納棚１４ａ又は収納棚１４ｂを透過する。
【００２４】
また、冷蔵室１０の天井面の発光ダイオード１３ａ，１３ｂから照射される光は、領域Ｄの収納物及び収納棚１４ｄで反射するほか、一部は収納棚１４ｄを透過し、領域Ｂを照射する。同様にして、発光ダイオード１３ａ，１３ｂから照射される光は、領域Ｃ，Ｄをも照射する。
【００２５】
また、図３に示すように、発光ダイオード１１ａ，１２ａは、収納棚１４ｂの下面よりも所定距離Δｌ（例えば、５ｍｍ）だけ下側に配置されている。つまり、発光ダイオード１１ａ，１２ａを含む水平面が、収納棚１４ｂと交差しないように設置されている。同様に、発光ダイオード１１ｂ，１２ｂは、収納棚１４ｃの下面よりも所定距離Δｌだけ下側に配置され、発光ダイオード１１ｃ，１２ｃは、収納棚１４ｄの下面よりも所定距離Δｌだけ下側に配置される。
【００２６】
発光ダイオードは、上記のように指向性を有しており、発光ダイオードから照射される光の照射方向（発光ダイオードが設置されている平面と垂直な方向）において、その光度が最も大きくなる。
仮に、発光ダイオード１１ａ，１２ａを含む水平面が、収納棚１４ｂと交差している場合には、発光ダイオード１１ａ，１２ａから照射された光が、収納棚１４ｂの先端（側面ｂ）で反射して、ユーザが眩しく感じることになる。
また、仮に、発光ダイオード１１ａ，１２ａを含む水平面が、収納棚１４ａと収納棚１４ｂの略中間の高さである場合には、領域Ａの奥にある収納物が手前の収納物の影によって見えにくくなる。
発光ダイオード１１ａ，１２ａを、収納棚１４ｂの下面よりも所定距離Δｌ（例えば、５ｍｍ）だけ下側に設置することによって、ユーザが眩しく感じることがなくなるとともに、発光ダイオード１１ａ，１２ａから照射される光をより有効に用いることができる。また、奥の収納物も見えやすくなるので、冷蔵室１０内における視認性を向上させることができる。
なお、上記では、発光ダイオード１１ａ，１２ａについて説明したが、冷蔵室１０の側面に配置された他の発光ダイオードについても同様である。
【００２７】
図５は、図３に記載の冷蔵室を、ＹＹを含む水平面で切断し、上側から見た場合の断面図である。
本実施形態に係る冷蔵庫では、各発光ダイオードからの直接の照射光が冷蔵室１０内を照射するように、各傾斜面１１ｓ，１２ｓの位置及び傾斜角度の値が設定され、それに応じて左右側面に各凸部１１，１２が形成される。
つまり、発光ダイオードからの直接の照射光が、冷蔵室１０の扉１０ａ及び扉１０ｂを開いた場合の開口端１０ｋよりも、冷蔵室１０の内側に照射されるように各凸部の傾斜面１１ｓ，１２ｓ（冷蔵室１０の奥側の傾斜面）が形成されている。
【００２８】
図５に示すように、発光ダイオード１２ｂからの照射光の照射角度θ１は、例えば１２０°であり、当該照射光が冷蔵室１０の内側を照射するように凸部１２（発光ダイオード１２ｂが設置される傾斜面１２ｓ）が形成されている。同様に、発光ダイオード１１ｂからの照射光の照射角度θ２も、例えば１２０°であり、当該照射光が冷蔵室１０の内側を照射するように凸部１１（発光ダイオード１１ｂが配置される傾斜面１１ｓ）が形成されている。
すなわち、発光ダイオード１１ｂ、１２ｂからの直接の照射光が、冷蔵室１０の扉（１０ａ及び１０ｂ）を開いた場合の開口端１０ｋ（図５では、開口端のうち左右の端）よりも冷蔵室１０の内側に照射されるように、凸部１１及び凸部１２が形成されている。
なお、上記では、発光ダイオード１１ｂ，１２ｂについて説明したが、冷蔵室１０の側面に設置された他の発光ダイオードについても同様である。
【００２９】
図６は、図３に記載の冷蔵室を、ＺＺを含む平面で切断し、右側から見た場合の断面図である。図６に示すように、発光ダイオード１３ｂからの照射光の照射角度θ３は、例えば１２０°であり、当該照射光が冷蔵室１０の内側を照射するように凸部１３（発光ダイオード１３ｂが配置される傾斜面１３ｓ）が形成されている。
すなわち、発光ダイオード１３ｂからの直接の照射光が、冷蔵室１０の扉（１０ａ及び１０ｂ）を開いた場合の開口端１０ｋ（図５では、開口端のうち下側の端）よりも冷蔵室１０の内側に照射されるように、凸部１３が形成されている。
なお、上記では、発光ダイオード１３ｂについて説明したが、発光ダイオード１３ａについても同様である。
【００３０】
また、上記では、凸部１１，１２，１３を形成することによって各発光ダイオードが設置される傾斜面１１ｓ，１２ｓ，１３ｓを形成する場合について説明したが、冷蔵室１０の左右側面及び天井面に凹部を形成することによって、各発光ダイオードが設置される傾斜面を形成することとしてもよい。
図７は、傾斜面を凹部によって形成した場合に、図３に記載のＹＹを含む水平面で切断して上側から見た場合の断面図である。図７に示すように、冷蔵室１０の右側面の一部を切り欠いて凹部１８を形成し、冷蔵室１０の左側面の一部を切り欠いて凹部１９が形成されている。
【００３１】
凹部１８，１９は、冷蔵室１０の左右側面が平面状であった場合の状態から、縦方向（上下方向）に三角柱を切り取った形状をしている。各凹部１８，１９に形成される２つの傾斜面（手前側の傾斜面と奥側の傾斜面）のうち、手前側の傾斜面１８ｓ，１９ｓに、それぞれ発光ダイオード１８ｂ，１９ｂを設置する。発光ダイオード１８ｂ，１９ｂは、主に領域Ｂを照射する（図３参照）。また、図３に記載した場合と同様に、冷蔵室１０の領域Ａ，Ｃ，Ｄに対応して他の発光ダイオードも設置することとする。
また、図３の場合と同様に、冷蔵室１０の天井面において左右方向に凹部２０（図示せず）を設け、当該凹部２０の手前側の側面（傾斜面２０ｓ：図示せず）に複数の発光ダイオードを設置することとしてもよい。
【００３２】
ここで、各発光ダイオードからの直接の照射光が冷蔵室１０内を照射されるように、各凹部１８，１９，２０の傾斜面１８ｓ，１９ｓ，２０ｓの位置及び傾斜角度を設定し、当該傾斜面１８ｓ，１９ｓ，２０ｓのそれぞれにおいて、プリント基板に少なくとも１つの発光ダイオードが実装されたランプ組立体（図示せず）を設置する。
つまり、各発光ダイオードからの直接の照射光が、冷蔵室１０の扉１０ａ及び扉１０ｂを開いた場合の開口端１０ｋよりも、冷蔵室１０の内側に照射されるように各凹部の傾斜面１８ｓ，１９ｓ，２０ｓを形成する。
なお、図７に示すように、冷蔵室１０の左右側面を延長した場合の平面と、奥側の傾斜面との角度θ４，θ５が比較的小さくなるように（例えば１５°）、凹部１８，１９が形成されている。これは、左右側面に設置された各発光ダイオードからの照射光を奥側の傾斜面で反射させて、冷蔵室１０内を照射させるためである。
【００３３】
傾斜面を凸部によって形成するか、凹部によって形成するかは、設計時に適宜選択することができる。例えば、左右側面に凹部１８，１９（図７参照）を形成し、天井面に凸部１３（図３参照）を形成することとしてもよい。また、各傾斜面を形成することができれば、各凸部又は凹部を他の形状としてもよい。例えば、各凸部又は凹部の断面形状を、丸みをもった形状としてもよい。
また、図５、図６、図７には、各発光ダイオードからの直接の照射光が、冷蔵室１０の開口端１０ｋに達している場合について記載したが、これに限らない。すなわち、各発光ダイオードからの直接の照射光が、冷蔵室１０の開口端よりも奥側に照射されるように各傾斜面１１ｓ,１２ｓ,１３ｓ等を形成すればよい。
また、上記では、収納棚１４ａ，１４ｂ，１４ｃ，１４ｄの手前側の先端（側面ａ，側面ｂ，側面ｃ，側面ｄ：図３参照））よりも、各凸部又は凹部が手前側に位置するように形成される場合について説明したが、これに限らない。例えば、冷蔵室１０の左右側面に配置する各発光ダイオードの開口面からの距離（奥行き）は、各収納棚の上記側面ａ，側面ｂ，側面ｃ，側面ｄと略同一でもよいし、上記側面よりもさらに大きく（つまり、奥側に配置）してもよい。
【００３４】
このように、本実施形態に係る冷蔵庫１００では、冷蔵室１０の側面及び天井面に配置する複数の発光ダイオードから直接照射される照射光が、冷蔵室１０の扉１０ａ及び１０ｂを開いた場合の開口端１０ｋよりも冷蔵室１０の奥側に照射されるように、各凸部又は凹部の各傾斜面を形成することによって、次のような効果を奏する。
すなわち、ユーザが冷蔵室１０の扉１０ａ又は扉１０ｂを開けた場合に、発光ダイオードから直接照射される照射光をユーザが視認するという事態を回避することができる。したがって、ユーザが発光ダイオードから直接照射される照射光を視認することによって眩しく感じるということがなくなるため、冷蔵室１０の視認性を向上させることができる。
また、発光ダイオードから直接照射される照射光の全てが、冷蔵室の収納物、壁面、収納棚等に照射されるため、照射光を有効に用いることができる。すなわち、発光ダイオードから収納物等に照射され、さらに収納物等によって反射された光の一部をユーザが視認することになる。したがって、本実施形態に係る冷蔵庫によれば、冷蔵室１０の視認性を向上させることができる。
【００３５】
≪第２実施形態≫
第１実施形態では、複数の発光ダイオードを、冷蔵室１０の手前側に配置した場合について説明した。本実施形態では、複数の発光ダイオードを、冷蔵室１０の手前側に設置し、さらに、奥側にも配置する場合について説明する。
図８は、本発明の第２実施形態に係る冷蔵庫において、冷蔵室の扉を開けた場合の正面図である。本実施形態では、冷蔵室１０の奥側の面と右側面とが交わる線Ｑ（図９参照）の近傍に、縦方向（上下方向）に連続した正三角柱状の一条の凸部１６を形成する。また、冷蔵室１０の奥側の側面と左側面とが交わる線Ｒ（図９参照）の近傍に、縦方向に連続した正三角柱状の一条の凸部１７を形成する。
なお、凸部１６，１７は、その各側面が冷蔵庫１００の上下面に対して垂直となるように形成されている。
【００３６】
図９は、図８に記載の冷蔵室を、Ｙ´Ｙ´を含む水平面で切断し、上側から見た場合の断面図である。図９に示すように、冷蔵室１０に設置される収納棚１４ｄは、凸部１６，１７と所定距離をとるために、右奥側の角と右奥側の角を切り欠いている（Ｈ１，Ｈ２参照）。他の棚１４ａ，１４ｂにも同様の切り欠きを設けており（図８参照）、各切り欠きを凸部１６，１７が貫通するように形成している。なお、図９では、切り欠きＨ１，Ｈ２を曲線状に形成したが、これに限らない。
以下では、冷蔵室１０の右側面に形成された凸部１６に設置される発光ダイオード１６ａ，１６ｂ，１６ｃ，１６ｄについて説明するが、冷蔵室１０の左側面に形成された凸部１７に設置される発光ダイオード１７ａ，１７ｂ，１７ｃ，１７ｄについても同様である。
【００３７】
図４を用いて説明した場合と同様に、プリント基板に４つの発光ダイオード１６ａ，１６ｂ，１６ｃ，１６ｄが実装されたランプ組立体１６ｐ（図示せず）が、凸部１６の傾斜面１６ｓに設置されている。また、図８に示すように、各発光ダイオード１６ａ，１６ｂ，１６ｃ，１６ｄは、それぞれ収納棚１４ａ，１４ｂ，１４ｃ，１４ｄに対応して設置されている。
プリント基板に発光ダイオード１６ａ，１６ｂ，１６ｃ，１６ｄが実装されたランプ組立体１６ｐ（図示せず）は、凸部１６の２つの傾斜面（手前側の傾斜面と奥側の傾斜面）のうち、手前側の傾斜面１６ｓ（図９参照）に設置される。つまり、発光ダイオード１６ａ，１６ｂ，１６ｃ，１６ｄを凸部１６の手前側に配置することによって、各発光ダイオードは、冷蔵室１０の開口面側を照射する。
【００３８】
図９に示すように、発光ダイオード１６ｄ，１７ｄは、その設置される床面からの高さが、収納棚１４ｄの床面からの高さと略同一になるように配置される。つまり、発光ダイオード１６ｄ，１７ｄからの直接の照射光のうち少なくとも一部が、収納棚１４ｄの切り欠きＨ１,Ｈ２に照射されるにように設置されている。したがって、ユーザが収納棚１４ｄと同じ高さの目線で冷蔵室１０内を見た場合に、ユーザからは発光ダイオード１６ｄ，１７ｄが見えない。
【００３９】
一般に、発光ダイオードから照射される光の光度は、その照射方向（発光ダイオードが設置されている面と垂直な方向）において最も大きくなる。上記のように発光ダイオード１６ｄ，１７ｄを配置することによって、発光ダイオード１６ｄ，１７ｄから照射される光のうち、その照射方向を中心とした所定範囲の光が収納棚１４ｄの切り欠きＨ１，Ｈ２で反射又は拡散されることになる。ちなみに、切り欠きＨ１と発光ダイオード１６ｄとの距離、切り欠きＨ２と発光ダイオード１７ｄとの距離が近いほど、各切り欠きＨ１，Ｈ２によって反射又は拡散される光の割合は大きくなる。
なお、上記説明では、収納棚１４ｄに対応して設けられた発光ダイオード１６ｄ，１７ｄについて説明したが、他の収納棚１４ａ，１４ｂ，１４ｃに対応して設けられた各ダイオードについても同様である。
【００４０】
このようにして、冷蔵室１０の奥側の側面に傾斜面１６ｓ，１７ｓを形成することによって、冷蔵室１０の奥側に置かれた収納物を照射することができる。また、各収納棚に対応して、同じ高さに発光ダイオードを設置することによって、各発光ダイオードからの光が収納棚に設けられた切り欠きで反射又は拡散されるために、当該発光ダイオードからの直接の照射光のうち大部分はユーザに視認されない。したがって、冷蔵室１０の視認性を向上させることができる。さらに、各収納棚に形成された各切り欠きと、その切り欠きに対応して設置された発光ダイオードとの距離を調節することによって、切り欠きの側面で反射又は拡散される光の割合を調整することができる。また、各切り欠きの側面で反射した光は、冷蔵室１０の左右側面又は奥側の側面に照射されるので、冷蔵室１０の視認性をさらに向上させることができる。
【００４１】
また、本実施形態では、冷蔵室１０の手前側に形成された傾斜面１１ｓ，１２ｓ，１３ｓに発光ダイオードを配置することによって、主に冷蔵室１０の手前側を照射し、冷蔵室１０の奥側の側面に形成された傾斜面１６ｓ，１７ｓに発光ダイオードを配置することによって、主に冷蔵室１０の奥側を照射することができる。
したがって、各発光ダイオードによって冷蔵室１０の全体が照射されるため、冷蔵室１０の視認性を向上させることができる。
【００４２】
なお、図８では、冷蔵室１０の左右側面にそれぞれ傾斜面１１ｓ，１２ｓ,１６ｓ,１７ｓを形成して、各傾斜面のそれぞれに、プリント基板に４個の発光ダイオードが実装されたランプ組立体１１ｐ，１２ｐ,１６ｐ,１７ｐを設置した場合を示しているが、これに限らない。また、図８では、冷蔵室１０の天井面に傾斜面１３ｓを形成して、プリント基板に２個の発光ダイオードが実装されたランプ組立体１３ｐを当該傾斜面１３ｓに設置した場合を示しているが、これに限らない。
すなわち、各ランプ組立体が備える発光ダイオードは、上記に示した個数に限られず、例えば、天井面の傾斜面１３ｓに設置するランプ組立体１３ｐが、発光ダイオードを３個以上実装することとしてもよい。また、図８に示した発光ダイオードのうち一部を設置しないこととしてもよい。例えば、天井面には発光ダイオードを設置しないこととしてもよい。この場合でも、左右側面に設置された発光ダイオードで領域Ａ，Ｂ，Ｃ，Ｄを照射することができる。
【００４３】
また、例えば、図８に記載の冷蔵室１０において、手前側の発光ダイオードとして１１ａ，１１ｂ，１１ｃ，１２ａ，１２ｂ，１２ｃを設置し、奥側の発光ダイオードとして１６ｄ，１７ｄを設置することとしてもよい。この場合には、領域Ａは主に発光ダイオード１１ａ，１２ａによって照射され、領域Ｂは主に発光ダイオード１１ｂ，１２ｂによって照射される。また、領域Ｃは主に発光ダイオード１１ｃ，１２ｃによって照射され、領域Ｄは主に奥側の発光ダイオード１６ｄ，１７ｄによって照射される。
このように、一つ又は複数の領域を手前側の発光ダイオードによって照射し、残りの領域を奥側の発光ダイオードによって照射することとしてもよい。
また、図８に記載の発光ダイオードのうち、発光ダイオード１１ｄ，１２ｄ，１６ｄ，１７ｄを設置せず、領域Ｄを天井面の発光ダイオード１３ａ，１３ｂによって照射することとしてもよい。なおこの場合において、手前側又は奥側の発光ダイオードを適宜選択して、領域Ａ，Ｂ，Ｃを照射することとしてもよい。
【００４４】
また、図８では、冷蔵室１０の左右側面及び天井面に凸部１１，１２，１３，１６，１７を形成する場合を示したが、その一部又は全部を凹部として形成し、当該凹部に発光ダイオードを設置することとしてもよい（図７参照）。ちなみに、冷蔵室１０の左右側面の傾斜面を凹部として形成する場合には、各収納棚に切り欠きＨ１，Ｈ２を設ける必要はない（図９参照）。
また、本実施形態では、各凸部を正三角柱状に形成することとしたが、これに限らない。つまり、冷蔵室１０の側面及び天井に設置する複数の発光ダイオードから直接照射される照射光が、冷蔵室１０の開口端１０ｋよりも奥側に照射されるという条件を満たせば、凸部（又は凹部）は他の形状でもよい。例えば、凸部（または凹部）を水平面で切断した場合の断面形状が丸みをもったものとしてもよい。
【００４５】
また、本実施形態では、冷蔵室１０の側面に凸部１６，１７を形成したが、冷蔵室１０の奥側の面（開口面と平行な面）に凸部又は凹部を形成し、各収納棚の高さと略同一の高さに発光ダイオードを配置することとしてもよい。また、この場合には、縦方向（上下方向）に連続した凸部又は凹部を一つ又は複数形成してもよいし、各収納棚に対応して横方向（左右方向）に連続した凸部又は凹部を一つ又は複数形成してもよい。また。側面に凸部１６，１７（又は凹部）を形成し、さらに奥側の面にも凸部又は凹部を形成することとしてもよい。
なお、凸部を形成する場合には、当該凸部に対応して各収納棚に切り欠きを設ける必要がある（図９参照）。
【００４６】
本実施形態に係る冷蔵庫１００Ａの各実施例と２つの比較例について比較実験を行った。
図８に示す複数の発光ダイオードのうち、手前側の側面に形成された凸部１１，１２にそれぞれ４個ずつ配置された、計８個の発光ダイオードを使用する場合を、冷蔵庫１０１Ａとする。
また、図８に示す手前側の側面に配置された８個の発光ダイオードのうち、発光ダイオード１１ｄ，１２ｄは使用せず、代わりに奥側の発光ダイオード１６ｄ，１７ｄを使用する場合を、冷蔵庫１０２Ａとする。また、図８に示す手前側の側面に配置された８個の発光ダイオードのうち、発光ダイオード１１ｃ，１２ｃは使用せず、代わりに奥側の発光ダイオード１６ｃ，１７ｃを使用する場合を、冷蔵庫１０３Ａとする。
また、図８に示す手前側の側面に配置された８個の発光ダイオードのうち、発光ダイオード１１ｄ，１２ｄは使用せず、代わりに天井面の発光ダイオード１３ａ，１３ｂを使用する場合を、冷蔵庫１０４Ａとする。
【００４７】
上記１０１Ａ，１０２Ａ，１０３Ａ，１０４Ａについて、各冷蔵室の大きさは縦幅７２８ｍｍ、横幅７５０ｍｍとし、各収納棚間の上下間隔は１４０ｍｍとし、同じ高さの左右側面に設置される発光ダイオード（例えば図８の１１ａと１２ａ）の左右の間隔は６９０ｍｍとした。また、冷蔵室の側面に設置された各照明装置（図８参照）の床面からの高さは、下から１２２０ｍｍ，１３６０ｍｍ，１５００ｍｍ，１６４０ｍｍとした。また、消費電力は０．７Ｗであった。
【００４８】
また、上記で説明した特許文献１に記載の冷蔵庫を、冷蔵庫２００とする。冷蔵庫２００の冷蔵室の大きさは、縦幅７２９ｍｍ、横幅６８５ｍｍとした。冷蔵庫２００では、８個の発光ダイオードを使用し、左右側面にそれぞれ４個ずつ発光ダイオードを設置した。同じ高さの左右側面に設置される発光ダイオードの左右の間隔は６２５ｍｍとし、冷蔵室の側面に設置された各照明装置（図８参照）の床面からの高さは、下から１４２８ｍｍ，１４９８ｍｍ，１５６８ｍｍ，１６３８ｍｍとした。また、消費電力は０．７Ｗであった。
また、冷蔵室の天井面にキセノンランプを設置した場合を、冷蔵庫３００とする。冷蔵庫３００の冷蔵室の大きさは、縦幅７２８ｍｍ、横幅７５０ｍｍとし、キセノンランプの床面からの高さは１７７８ｍｍとした。また、消費電力は５Ｗであった。
【００４９】
評価方法は、各冷蔵庫に物を入れた状態と空の状態において、物理的評価と主観的評価を行った。
物理的評価では、放射照度計ＨＳＲ−８１００、色彩輝度計ＣＳ−１００Ａを使用して、放射照度、照度、及び輝度を測定した。測定位置は、後記する主観的評価を行った場合の被験者の目の位置（床面からの高さ１４８ｃｍ、冷蔵室の開口面からの距離２７ｃｍ）と略同一の位置で測定した。
【００５０】
主観的評価では、ＶＡＳ法（Visual Analog Scale）で評価を行った。被験者は２０名の青年男女（女性１０名、男性１０名）とした。女性の平均年齢は３０±７．９歳、男性の平均年齢は３１±７．９歳であった（±の後の数値は標準偏差を示す）。また、女性の平均身長は１６０±５．４ｃｍ、男性の平均身長は１７２±３．２ｃｍであった（±の後の数値は標準偏差を示す）。また、上記したように、被験者の目の位置は、床面からの高さ１４８ｃｍ、冷蔵室の開口面からの距離２７ｃｍとした。
以下に物理的評価結果を示す。
【００５１】
【表１】
2012220134.tif 000003
【００５２】
表１において、放射強度は、放射源から平面状の物体に照射された単位面積当たりの放射束の量である。照度は、平面状の物体に照射された光の明るさを表し、単位面積当たりに照射される光束に等しい。また、輝度は、光源の観察方向に垂直な単位面積当たりの明るさを示す。
表１を参照すると、冷蔵庫に物を入れた場合の放射照度、照度、輝度（表１の上段）、冷蔵庫が空の場合の放射照度、照度、輝度（表１の下段）全てにおいて、キセノンランプを用いた場合の冷蔵庫２００が、他の冷蔵庫よりかなり高い値となっている。しかし、後記するように、物理的評価の各評価値の高さが主観的評価に直接的に反映されるわけではない。
【００５３】
また、特に輝度を比較すると、例えば冷蔵室に物を入れた状態では、本発明に係る冷蔵庫１０１Ａ〜１０４Ａを使用した場合には、輝度が１１３〜１３０[ｃｄ／ｍ２]であるのに対し、冷蔵庫２００では輝度が１３６０[ｃｄ／ｍ２]、冷蔵庫３００では輝度が２５６[ｃｄ／ｍ２]のように高い値を示している。
【００５４】
しかしながら、図１０に示すように、「明るさ」に関する主観評価結果を参照すると、本発明に係る冷蔵庫１０１Ａ，１０２Ａ，１０３Ａ，１０４Ａを使用した場合のほうが、特許文献１に記載の冷蔵庫２００やキセノンランプを使用した冷蔵庫３００よりもユーザが明るく感じることがわかる。これは、本発明に係る冷蔵庫１０１Ａ，１０２Ａ，１０３Ａ，１０４Ａの場合では、発光ダイオードから直接的に照射される光の大部分が冷蔵庫内に照射され、冷蔵庫内の収納物等で反射した光をユーザが視認するためであると考えられる。一方、特許文献１に記載の冷蔵庫２００やキセノンランプを使用した冷蔵庫３００の場合では、照明装置（発光ダイオード又はキセノンランプ）から直接的に照射された光のうち、冷蔵庫外に漏れる割合が比較的大きいため、ユーザが暗いと感じると考えられる。
【００５５】
同様に、図１１に示すように、「眩しさ」に関する主観評価結果を参照すると、本発明に係る冷蔵庫１０１Ａ，１０２Ａ，１０３Ａ，１０４Ａを使用した場合のほうが、特許文献１に記載の冷蔵庫２００やキセノンランプを使用した冷蔵庫３００よりもユーザが眩しくないと感じることがわかる。これは、本発明に係る冷蔵庫１０１Ａ，１０２Ａ，１０３Ａ，１０４Ａの場合では、ユーザが、発光ダイオードから直接的に照射される光を視認していないためであると考えられる。一方、特許文献１に記載の冷蔵庫２００やキセノンランプを使用した冷蔵庫３００の場合では、照明装置（発光ダイオード又はキセノンランプ）から直接的に照射された光をユーザが視認することとなるため、ユーザが眩しいと感じると考えられる。
【００５６】
また、図１２〜図１５を参照すると、「照らされ方の均一性」（図１２参照）、「見やすさ」（図１３参照）、「印象」（図１４参照）、「清潔感」（図１５参照）に対する主観評価結果のすべてにおいて、本発明に係る冷蔵庫１０１Ａ，１０２Ａ，１０３Ａ，１０４Ａを使用した場合のほうが、冷蔵庫２００，３００の場合よりも視認性が高いことがわかった。
なお、図１０〜図１５は冷蔵庫に物を入れた場合についての主観評価結果であるが、冷蔵庫が空の場合の主観評価結果も図１０〜図１５と同様となり、有意差は見られなかった。
【００５７】
以上より、本実施形態に係る冷蔵庫１００Ａ(１０１Ａ，１０２Ａ，１０３Ａ，１０４Ａ)は、図１０〜図１５に示すように、ユーザの視認性において高い主観評価結果を得ることできた。
【００５８】
≪第３実施形態≫
図１６は、本発明の第３実施形態に係る冷蔵庫の扉を開けた状態の正面図である。図１６に示すように、本実施形態では、冷蔵室１０Ｂの天井面のみに凸部１３を設け、凸部１３の傾斜面１３ｓ（図６参照）に、複数の発光ダイオードを実装したランプ組立体１３ｐ（図示せず）を設置する構成となっている。なお、本実施形態では、冷蔵室１０Ｂの側面には凸部を設けていない。
凸部１３の形状及び配置については、第１実施形態で図３を用いて説明したものと同様であるため、その説明を省略する。また、当該凸部１３には、８個の発光ダイオード１３ａ，１３ｂ，１３ｃ，１３ｄ，１３ｅ，１３ｆ，１３ｇ，１３ｈが設置されている。図１５に記載の冷蔵庫を、Ｚ´Ｚ´を含む平面で切断し、右側から見た場合の断面図は図６のようになる。特定の発光ダイオード（例えば発光ダイオード１３ｂ）を含み、かつ、冷蔵室１０Ｂの左右側面と平行な平面内における当該発光ダイオードの照射角度については、上記で図６を用いて説明したものと同様である。すなわち、各発光ダイオードからの直接の照射光が、冷蔵室１０の開口端１０ｋ（この場合には下側の端）よりも冷蔵室１０の奥側に照射されるように、傾斜面１３ｓが形成されている。
【００５９】
図１７は、冷蔵庫の天井に設置した発光ダイオードの位置関係を示す図である。図１７に示すように、傾斜面１３ｓのランプ組立体１３ｐ（図示せず）が実装する８個の発光ダイオード間の間隔は一定である。また、発光ダイオード１３ａ，１３ｂは、所定角度だけ外側（左側）を向くように設置されている。つまり、例えば、発光ダイオード１３ａ，１３ｂの照射方向は、図１６のＺ´Ｚ´を含み、かつ、冷蔵室１０の左右側面と平行な平面に対して所定角度θ６（例えば、４５°）だけ左側を向くように設置されている。同様に、１３ｇ，１３ｈも、所定角度θ７（例えば、４５°）だけ右側を向くように設置されている。
このように各発光ダイオードを設置することによって、左側面を向くように設置された発光ダイオード１３ａ，１３ｂと、右側面を向くように設置された発光ダイオード１３ｇ，１３ｈによって左右側面が照射され、さらに左右側面で反射した光が冷蔵室１０Ｂ内を照射することとなる。
【００６０】
また、天井面に設置された各発光ダイオードから照射された光は、冷蔵室１０Ｂの収納棚１４ｄに置かれた収納物、収納棚１４ｄ、壁面等によってその一部が反射され、領域Ｄがユーザに明るく視認される。また、各発光ダイオードから照射された光の一部は、収納棚１４ｄを透過して、領域Ｃに置かれた収納物等を照射する。同様にして、領域Ｂ、領域Ａに置かれた収納物等も照射される。
【００６１】
本実施形態に係る冷蔵庫１００Ｂと２つの比較例について比較実験をいった。冷蔵庫１００Ｂの天井面に設置された各発光ダイオードについて、その隣接する発光ダイオード間の距離は６０ｍｍとした。また、最も左側に位置する発光ダイオード１３ａと冷蔵室１０Ｂの左側面との距離、及び、最も右側に位置する発光ダイオード１３ｈと冷蔵室１０Ｂの右側面との距離を、それぞれ１３５ｍｍとした。また、発光ダイオード１３ａ，１３ｂについて角度θ６を４５°とし（図１７参照）、発光ダイオード１３ｇ，１３ｈについて角度θ７を４５°とした。また、各発光ダイオードは、冷蔵室１０の開口面から７０ｍｍの位置に設置した。その他の条件については、第２実施形態で説明したものと同様であるため、省略する。
【００６２】
また、特許文献１に記載の冷蔵庫２００及びキセノンランプを使用した冷蔵庫３００の構成、主観的評価の評価方法等についても第２実施形態で説明したものと同様であるため、その説明を省略する。
なお、本比較実験については、主観的評価のみを行った。
図１８〜図２０に示すように、本実施形態に係る冷蔵庫１００Ｂにおいても、「明るさ」に対する主観評価結果（図１８参照）、「眩しさ」に対する主観評価結果（図１９参照）、「見やすさ」に対する主観評価結果（図２０参照）について、高い評価結果が得られることがわかった。
つまり、複数の発光ダイオードを実装したランプ組立体１３ｐ（図示せず）を、天井面の傾斜部１３ｓのみに設置した場合であっても、冷蔵室１０について高い視認性が得られることがわかった。
【符号の説明】
【００６３】
１００，１００Ａ，１００Ｂ  冷蔵庫
１０，１０Ａ，１０Ｂ  冷蔵室（貯蔵室）
１０ａ，１０ｂ  扉
１０ｋ  開口端
１１，１２，１３  凸部
１１ｓ，１２ｓ，１３ｓ  傾斜面（第１の傾斜部）
１８，１９，２０  凹部
１８ｓ，１９ｓ，２０ｓ  傾斜面（第１の傾斜部）
１１ｐ,１２ｐ,１３ｐ  ランプ組立体
１１ａ，１１ｂ，１１ｃ，１１ｄ，１２ａ，１２ｂ，１２ｃ，１２ｄ，１３ａ，１３ｂ，１３ｃ，１３ｄ  発光ダイオード（第１の照明装置）
１４ａ,１４ｂ,１４ｃ,１４ｄ  収納棚
ａ，ｂ，ｃ，ｄ  収納棚の側面（収納棚の先端）
Ａ，Ｂ,Ｃ,Ｄ  領域
θ１,θ２,θ３  発光ダイオードの照射角度
Ｈ１，Ｈ２  切り欠き
１６，１７  凸部
１６ｓ，１７ｓ  傾斜面（第２の傾斜部）
１６ａ，１６ｂ，１６ｃ，１６ｄ，１７ａ，１７ｂ，１７ｃ，１７ｄ  発光ダイオード（第２の照明装置）
【図１】
2012220134.tif 000004
【図２】
2012220134.tif 000005
【図３】
2012220134.tif 000006
【図４】
2012220134.tif 000007
【図５】
2012220134.tif 000008
【図６】
2012220134.tif 000009
【図７】
2012220134.tif 000010
【図８】
2012220134.tif 000011
【図９】
2012220134.tif 000012
【図１０】
2012220134.tif 000013
【図１１】
2012220134.tif 000014
【図１２】
2012220134.tif 000015
【図１３】
2012220134.tif 000016
【図１４】
2012220134.tif 000017
【図１５】
2012220134.tif 000018
【図１６】
2012220134.tif 000019
【図１７】
2012220134.tif 000020
【図１８】
2012220134.tif 000021
【図１９】
2012220134.tif 000022
【図２０】
2012220134.tif 000023